(57)【特許請求の範囲】
【請求項１】
被験者が押すための測定腕部と、該測定腕部を略水平方向に片持ち支持する測定部と、該測定部を前記測定腕部の延在する方向と略直交する水平方向に移動可能として支持する支持部とを有し、
前記測定腕部が、測定部に対して上下方向固定位置設定可能とされるとともに、測定部に対して片持ち支持される基部を支点に鉛直方向に回動可能に設けられてなることを特徴とする長座位体前屈測定装置。
【請求項２】
前記測定腕部が、ファンクショナルリーチ測定位置に固定可能に設けられてなることを特徴とする請求項１記載の長座位体前屈測定装置。
【請求項３】
前記測定腕部よりも下側位置に設けられた略水平な座面及び該座面を床面よりも高い位置に支持する脚部をそれぞれ有する測定用椅子を有することを特徴とする請求項１記載の長座位体前屈測定装置。
【請求項４】
前記測定用椅子が等しい高さの座面を有する分割可能な着座椅子および下肢椅子からなることを特徴とする請求項３記載の長座位体前屈測定装置。
【請求項５】
前記着座椅子が背もたれを有することを特徴とする請求項４記載の長座位体前屈測定装置。
【請求項６】
前記測定用椅子が車椅子とされることを特徴とする請求項３から５のいずれか記載の長座位体前屈測定装置。
【発明の詳細な説明】
【０００１】
【発明の属する技術分野】
本発明は、長座位体前屈測定装置に係り、特に、高齢者等の身体測定に用いて好適な技術に関する。
【０００２】
【従来の技術】
身体測定−身体能力測定−においては柔軟性の測定がおこなわれている。この場合、柔軟性は関節の可動域と筋の伸展性をみるもので、日常生活や運動に関わる重要な機能で、加齢による低下は身体の老化と関連しているといわれており、特に肩こりや腰痛、スポーツ障害などと関連が指摘されている。また精神的な緊張が柔軟性の低下を招くこともよく知られており、予防医学や臨床などの分野に応用されている。
【０００３】
柔軟性を測定する方法として、一般的に、立位体前屈や座位体前屈（長座位体前屈）などの方法が知られている。
立位体前屈は、両脚をそろえて台の上に立ち、上体をいっぱいに曲げて手を伸ばし、台上面を０ｃｍとして、何ｃｍまで曲げられるかを測定するものである。また、座位体前屈（シット・アンド・リーチ）とは、床などに下肢を伸ばした長座位で座り、上体を前方にいっぱいに曲げて手を伸ばし、何ｃｍまで曲げられるかを測定するものである。
【０００４】
近年、これらのテストのうち、長座位体前屈が多く採用されるようになってきている。これは、被験者において測定時の安全性の確保のために各測定項目に対応した基本姿勢をきちんと取らせることが、非常に重要であるためである。特に、高齢者等においては、立位姿勢等に比べて、長座位体前屈姿勢は安全性の確保を比較的容易にする項目であることによる。
【０００５】
【発明が解決しようとする課題】
しかし、体幹の筋力が低下している高齢者や、姿勢保持障害を有する有疾患者等を被験者とした場合には、被験者の緊張感が高まるので，動作に対して適切に補助する必要があり、測定者は，被験者に予測されるあらゆる動きを想定し，それらに対応する技術も保持していなければならないという要求があり、これが測定者における負担増の原因となっていた。
また、運動障害を有する被験者に対してこのような柔軟性測定をおこなう場合に、車椅子で測定場所まで被験者を移動することが必要であり、この状態から床面に被験者を下ろして測定をおこない、また、車椅子に載せて移動していたが、これが、測定者における大きな負担となっており、これを低減したいという要求があった。さらに、被験者は立位から床面に座り測定後再び立ち上がる必要があるが、被験者のうち高齢者にとっては、これが大きな負担になっているという問題があった。
また、上述したように、上記のような被験者においては、一人に対して必要な測定時間が長いため、これを短縮したいという要求が存在していた。
【０００６】
本発明は、上記の事情に鑑みてなされたもので、以下の目的を達成しようとするものである。
▲１▼被験者の安全確保の向上を図ること。
▲２▼測定者の負担削減を図ること。
▲３▼測定時間の短縮を図ること。
【０００７】
【課題を解決するための手段】
本発明の長座位体前屈測定装置は、被験者が押すための測定腕部と、該測定腕部を略水平方向に片持ち支持する測定部と、該測定部を前記測定腕部の延在する方向と略直交する水平方向に移動可能として支持する支持部とを有し、
前記測定腕部が、測定部に対して上下方向固定位置設定可能とされるとともに、測定部に対して片持ち支持される基部を支点に鉛直方向に回動可能に設けられてなることにより上記課題を解決した。 
また、前記測定腕部が、ファンクショナルリーチ測定位置に固定可能に設けられてなる手段を採用することができる。
また、本発明において、前記測定腕部よりも下側位置に設けられた略水平な座面及び該座面を床面よりも高い位置に支持する脚部をそれぞれ有する測定用椅子を有する手段を採用することもできる。
本発明における前記測定用椅子が等しい高さの座面を有する分割可能な着座椅子および下肢椅子からなることが好ましい。
また、前記着座椅子が背もたれを有することがある。
本発明の前記測定用椅子が車椅子とされることができる。
【０００８】
本発明の長座位体前屈測定装置は、被験者が両足を伸ばして座り上体をいっぱいに伸ばすとともに両手で押すための測定腕部と、この測定腕部と一体として被験者が押圧した方向に移動可能な測定部と、この測定部を被験者の伸ばした両足の方向に移動可能として支持する支持部と、を有し、具体的には、支持部が水平方向に設けられる支持レールと、この支持レールの両端から下方に垂設されこの支持レールを床等から３０ｃｍ程度に位置するための支持脚部とを有し、測定部として支持レールに沿って移動可能な測定基部と、この測定基部に垂設され測定腕部が固定される測定支持柱と、測定支持柱に対して測定腕部の固定位置を設定可能な腕高さ調節部と、支持レールから平面視して直交するように調節部に固定される測定腕部と、を有する。これにより、支持レールに沿って被験者の下肢を伸ばすように長座位で座らせ、被験者の体型に合わせて測定腕部の高さを調節して長座位体前屈測定をおこなうことができる。
【０００９】
ここで、測定部には、測定基部が支持レールに対して移動した距離を測定するための測定手段と、この測定結果を表示するための表示手段とが設けられる。具体的には、支持レールに沿って設けられたラックと、このラックに噛み合うように測定基部に設けられたピニオンと、このピニオンの回転量によって測定基部移動量を算出するとともにそのデータを表示手段に出力する演算手段と、演算手段の出力したデータに従って数値を表示する液晶表示パネル、発光ダイオードパネル等を設けることができる。これにより、被験者が測定腕部を押して測定部を移動することのみで、測定値を表示することができる。
【００１０】
本発明において、前記測定腕部が、片持ち支持される基部を支点に回動可能として腕高さ調節部に設けられることにより、被験者を支持レール横に座らせる際には測定腕部を直立させて被験者や介護者等のじゃまにならないようにし、被験者が長座位となり測定位置に座った後に被験者の前に測定腕部を横にするとともに測定基部を支持レールに沿って測定開始位置に設定する。また、測定終了後には、測定腕部を直立させて、被験者およびその介護・指示をおこなう測定者等が被験者が移動する際に測定腕部がじゃまにならないようにすることができる。これにより、動作に規制のある高齢者や姿勢保持障害を有する有疾患者等を被験者とした場合であっても、被験者を測定位置に着かせ、また、測定位置から移動することを、より容易におこなうことができる。これにより、測定者（介護者）の負担を低減することが可能となるとともに、測定時間の短縮を図ることが可能となる。
【００１１】
また、測定腕部を支持レールの両側に倒せる構成とすることで、支持レールの両側でそれぞれ交互に長座位体前屈測定をおこなうことが可能となる。これにより、動作が健常者より遅いあるいは動作障害があるため測定位置に着くまでに時間のかかる被験者であっても、支持レールの一方側で測定をおこなっているときに支持レールの他方側に他の被験者を測定位置に着けることで、一人ずつ測定をおこなう場合に比べて、格段に測定時間を短くすることが可能となる。
なお、支持レールの両側の被験者がそれぞれ対面する方向に座らせることで、双方の被験者を着座・移動させる際にも、より互いの影響が少なくて済み、測定者の負担を低減することが可能となる。
【００１２】
さらに、前記測定腕部が、例えば垂直状態とされるファンクショナルリーチ測定位置に固定可能とされているため、測定腕部をこのファンクショナルリーチ測定位置とした状態でファンクショナルリーチ測定に使用することができる。つまり、本発明の長座位体前屈測定装置においては、測定腕部を長座位体前屈測定位置とファンクショナルリーチ測定位置との間で切り替えることにより、長座位体前屈測定装置、および、ファンクショナルリーチ測定装置として一台の装置を切り替えて異なる測定に使用することも可能となる。
ここで、ファンクショナルリーチ(Functional reach：FR)測定とは、体のバランス感覚を計測するためのもので、例えば、立位の被験者に伸身状態で前傾姿勢をとらせ、どれくらい傾いたかを計測するものである。
【００１３】
また、本発明において、測定位置である水平方向に向いた測定腕部よりも下側位置に設けられた座面及び該座面を床面よりも高い位置に支持する脚部をそれぞれ有する測定用椅子を有することにより、被験者を床面上ではなく、床よりも高い位置にある椅子に座らせて長座位体前屈測定をおこなうことが可能となる。これにより、歩いて測定装置付近まで移動してきた被験者を、立位から床面上で長座位とする必要がないため、動作に規制のある高齢者や姿勢保持障害を有する有疾患者等を被験者とした場合であっても、被験者を測定位置に着かせ、また、測定位置から移動することを、より容易におこなうことができる。これにより、測定者（介護者）の負担を低減することが可能となるとともに、測定時間の短縮を図ることが可能となる。さらに、車椅子で測定装置付近まで移動してきた被験者の全体重を支えて床面上まで下ろし、この位置で長座位とする必要がないため、車椅子の使用が必要程度の、重度の動作障害のある高齢者や姿勢保持障害を有する有疾患者等を被験者とした場合であっても、被験者を測定位置に着かせ、また、測定位置から移動することを、さらに容易におこなうことができる。これにより、測定者（介護者）の負担をより一層低減することが可能となるとともに、測定時間の短縮を図ることが可能となる。
【００１４】
なお、座面が略水平とは、長座位体前屈測定に際して必要な、測定の正確性を得られる程度に水平であればよく、例えば、下肢や体幹の障害等で充分な測定姿勢がとれない被験者に対応して、傾斜した座面を用いることや、被験者の下肢の位置に応じて一部が欠けた座面を用いることで下肢が水平位置より下がった状態で測定をおこなうことも可能である。
【００１５】
本発明における前記測定用椅子が等しい高さの座面を有する分割可能な、少なくとも被験者に対して腰を下ろさせる着座椅子と、下肢を伸ばして長座位とする際に下肢を支える下肢椅子とからなり、測定場所において、移動してきた被験者を着座椅子に腰掛けさせた後被験者の下肢を伸ばして該下肢の下に下肢椅子を入れることで、被験者を椅子の上で長座位とする。これにより、測定者が被験者を椅子の上に抱え上げたりすることなく被験者を長座位とすることができるので、長座位体前屈測定における測定者の負担をより低減することができるとともに、被験者にかかる負担も低減することが可能となる。
【００１６】
また、前記着座椅子に背もたれを設けることにより、被験者を着座椅子に座らせる際に背もたれに寄りかからせて、効率的に長座位とするとともに、着座椅子に座らせる際に背もたれを被験者が手でつかんで、自分自身の移動補助具とすることもできる。また、長座位体前屈測定時に、被験者が測定開始姿勢になった際に上体を寄りかからせて身体の安定を図ることができる。
【００１７】
本発明の前記測定用椅子として、上述の下肢椅子と同じ高さの座面を有する車椅子を採用することによって、車椅子を測定腕部に対する測定位置に停止して、この位置で車椅子に座っている被験者の下肢を伸ばしてこの下肢の下側に下肢椅子を位置することで、被験者が車椅子に座ったままで長座位体前屈測定をおこなうことが可能となる。これにより、測定者が被験者を抱えて車椅子から他の場所に移動することなく測定をおこなうことができるため、測定時間の短縮と介護測定者の負担削減を図ることができる。
【００１８】
【発明の実施の形態】
以下、本発明に係る長座位体前屈測定装置の第１実施形態を、図面に基づいて説明する。
図１，図２は、本実施形態における長座位体前屈測定装置を示す斜視図、図３は支持レールおよび測定基部の拡大断面図、図４は、本実施形態における長座位体前屈測定装置を示す正面図、図５は、本実施形態における長座位体前屈測定装置を示す側面図であり、図において、符号１は長座位体前屈測定装置である。
【００１９】
本実施形態の長座位体前屈測定装置１は、被験者が両足を伸ばして座り上体をいっぱいに伸ばすとともに両手で押すための測定腕部２と、この測定腕部２と一体として被験者が押圧した方向に移動可能な測定部３と、この測定部を被験者の伸ばした両足の方向に移動可能として支持する支持部４と、水平方向に向いた測定腕部２よりも下側位置に設けられた座面５１を有する測定用椅子５と、を有する。
【００２０】
支持部４には、水平方向に設けられる支持レール４１と、この支持レール４１の両端から下方に垂設されこの支持レール４１を後述する測定用椅子５の座面５１と同程度の高さに位置するための支持脚部４２，４２と、これら支持脚部４２，４２の下端部どうしを連結する連結部４３と、支持脚部４２下端部から支持レール４１と直交するように水平方向両側に突出する脚部４４，４４とが設けられる。脚部４４の先端部には、それぞれキャスタ４５とストッパ４６とが設けられ、キャスタ４５は回転方向が１８０°回転可能なものとされ、ストッパ４６は、脚部４４に螺合されて、回転することでその高さを変化でき、キャスタ４５で支持部４を移動して、ストッパ４６で設置位置を固定することができる。
支持レール４１は、図３に示すように、断面矩形状に設けられている。
【００２１】
測定部３は、支持レール４１を囲むように設けられ、支持レール４１に沿って移動可能な測定基部３１と、この測定基部３１に垂設され測定腕部２が固定される測定支持柱３２と、測定支持柱３２に対して測定腕部２の固定位置を設定可能な腕高さ調節部３３と、を有する。腕高さ調節部３３には、測定腕部２が、図１，図２，図４，図５に示すように、片持ち支持される基部２１側を支点として回動可能として設けられている。
【００２２】
測定腕部２は、その基部２１に回動中心軸となる支点２２が設けられ、この支点２２よりも短い側の端部および支点２２付近に、支点２２の軸線と平行に貫通された固定用ストッパ穴２３ａ〜２３ｃが、図５に示すように、支点２２の周囲に９０度ごととなるように３ヶ所設けられる。このストッパ穴２３ａ〜２３ｃに対応して腕高さ調節部３３には、前記支点２２の軸線と平行に移動可能なストッパ３３ａが設けられ、このストッパ３３ａをストッパ穴２３ｂに挿入することにより測定腕部２の固定角度を垂直方向に、また、ストッパ３３ａをストッパ穴２３ａ，２３ｃに挿入することにより測定腕部２の固定角度を水平方向に、切り替えることが可能となっている。
【００２３】
腕高さ調節部３３には、この腕高さ調節部３３の測定支持柱３２に対する高さ位置を調節して固定するための固定部３３ｂが設けられるとともに、その高さ位置を設定するための目盛り３２ａが測定支持柱３２に設けられる。
測定基部３１の両端側内側位置には、図３，図４に示すように、矩形の支持レール４１断面四隅に転動可能に当接するローラ３５，３５が設けられており、測定基部３１が支持レール４１に沿って移動可能とされている。
【００２４】
また、測定部３には、測定基部３１を支持レール４１に固定するためのストッパ３１ａが設けられ、また、測定基部３１が支持レール４１に対して移動した距離を測定するための測定手段３６として、支持レール４１に沿って設けられたラック３６ａと、このラック３６ａに噛み合うように図示しない支持手段によって測定基部３１に設けられたピニオン３６ｂが設けられる。
【００２５】
また、測定部３としては、このピニオン３６ｂの回転量によって測定基部３１移動量を算出するとともにそのデータを出力する図示しない演算手段と、演算手段の出力したデータに従って数値を表示する液晶表示パネル、発光ダイオードパネル等の表示手段３７を設けることができる。この表示手段３７には、電源スイッチ３７ａと内部データをリセットして新たに測定を始める際のリセットスイッチ３７ｂとが設けられ、演算手段および表示手段３７を駆動するための電源部が内蔵されてこれらに接続されている。
【００２６】
また、測定用椅子５は、測定位置である水平方向に向いた測定腕部２よりも下側位置に設けられた座面５１を有するものとされ、この測定用椅子５は、被験者に対して腰を下ろさせる着座椅子５２と、下肢を伸ばして長座位とする際に下肢を支える下肢椅子５３とを有する。これら着座椅子５２と下肢椅子５３とは、それぞれ等しい高さの座面５１を有し、これらの座面５１の高さは床等から３０ｃｍ程度に設定される。
【００２７】
着座椅子５２には背もたれ５４が設けられ、下肢椅子５３とは別々に移動可能とされている。
また、図１において、支持レール４１の右側のみに測定用椅子５が描かれているが、支持レール４１の両側にそれぞれ１セットずつ設置することもできる。
なお、図１には下肢椅子５３は１個のみ描かれているが、図７のように、１つの着座椅子５２に対して下肢椅子５３をさらに複数個設け、例えば、被験者の片足ずつ別の下肢椅子５３に乗せる構成とすることも可能である。
【００２８】
着座椅子５２および下肢椅子５３において、それぞれの座面５１は略水平とされている。ここで、座面５１は、長座位体前屈測定に際して必要な、測定の正確性を得られる程度に水平であればよく、例えば、下肢や体幹の障害等で充分な測定姿勢がとれない被験者に対応して、傾斜した座面を用いることや、被験者の下肢の位置に応じて一部が欠けた座面を用いることで、例えば片足が水平位置より下がった状態で測定をおこなうことなども可能である。
【００２９】
このような長座位体前屈測定装置１における測定について説明する。
【００３０】
まず、ストッパ４６を上げて、キャスタ４５，４５によって移動してきた長座位体前屈測定装置１を、それぞれの脚部４４においてストッパ４６によって固定し、支持部４を測定位置に配置する。
次いで、図２に示すように、ストッパ３３ａをストッパ穴２３ｂに挿入することにより測定腕部２を垂直上方向に向け、この状態で、図１のように、着座椅子５２を測定位置となるように配置する。これにより準備が完了する。
【００３１】
測定を始めるに当たって、歩いて、あるいは車椅子等の移動手段で測定装置１付近まで移動してきた被験者を、着座椅子５２に腰掛けさせる。このように被験者を着座椅子５２に腰掛けさせた後、被験者の下肢を伸ばして該下肢の下に下肢椅子５３を入れることで、被験者を椅子５の上で長座位とする。このとき、可能であれば、背もたれ５４に被験者を寄りかからせておく。
【００３２】
次いで、腕高さ調節部３３の高さを被験者にあわせて設定し固定部３３ｂにより固定する。その後、測定腕部２を支持レール４１の着座椅子５２側の水平位置になるように倒し、ストッパ３３ａをストッパ穴２３ａに挿入することによりこれを固定する。
ストッパ３１ａを解除して測定基部３１が支持レール４１に対して移動可能な状態にした後、図８に示すように、被験者に対応した測定開始位置に設定し、電源スイッチ３７ａ、リセットスイッチ３７ｂを作動して、測定開始状態とする。
【００３３】
この後、図８に示すように、上体を前方にいっぱいに曲げて手を伸ばし、測定腕部２を押して測定部３を支持レール４１に沿って移動し、この移動距離により、長座位体前屈として何ｃｍまで曲げられるかを測定する。これにより、被験者が測定腕部２を押して測定部３を移動することのみで、表示手段３７に測定値が表示される。
【００３４】
測定後、測定値を記録するとともに、ストッパ３３ａをストッパ穴２３ｂに挿入することにより測定腕部２を上向きにするか、または、ストッパ３３ａをストッパ穴２３ｃに挿入することにより被験者のいないほうの水平方向に向けて被験者の移動にじゃまにならないようにした後、下肢椅子５３を移動させて被験者の下肢を床に着く状態にし、その後、着座椅子５２から被験者を移動する。
これで、一人の被験者に対する測定を終了する。
【００３５】
本実施形態の長座位体前屈測定装置１は、支持レール４１に沿って移動可能な測定基３に測定腕部２が設けられているため、支持レール４１に沿って被験者の下肢を伸ばすように長座位で座らせ、被験者の体型に合わせて測定腕部２の高さを調節して長座位体前屈測定をおこなうことができる。これにより、測定値を他の目盛り等を用いていちいち計測したりする必要がなく、測定時間の短縮を図ることが可能となる。
【００３６】
本実施形態において、測定腕部２が、片持ち支持される基部２１を支点に回動可能として腕高さ調節部３３に設けられることにより、被験者を支持レール４１横に座らせる際には測定腕部２を直立させて被験者、測定者や介護者等のじゃまにならないようにし、被験者が長座位となり測定位置に座った後に被験者の前に測定腕部２を横にするとともに測定基部３１を支持レールに沿った測定開始位置に設定することができる。これにより、測定開始にかかる作業時間短縮を図ることができるとともに、測定者・介護者の負担を低減することができる。また、測定終了後には、ストッパ３３ａをストッパ穴２３ｃまたは２３ｂに挿入することにより測定腕部２を直立または水平位置とさせて、被験者が移動する際に測定腕部２がじゃまにならないようにすることができ、これにより、動作に規制のある高齢者や姿勢保持障害を有する有疾患者等を被験者とした場合であっても、被験者を測定位置に着かせ、また、測定位置から移動することを、より容易におこなうことができ、これにより、測定者（介護者）の負担を低減することが可能となるとともに、測定時間の短縮を図ることが可能となる。
【００３７】
また、本実施形態において、測定位置の測定腕部２よりも下側位置に設けられた座面５１を有する測定用椅子５を有することにより、被験者を床面上ではなく、床よりも高い位置にある椅子５に座らせて長座位体前屈測定をおこなうことが可能となる。
これにより、歩いて測定装置１付近まで移動してきた被験者を、下肢を折り畳む等によって床面上で立位から長座位とする、あるいは、床面における座位から立位へとする必要がなく、動作に規制のある高齢者や姿勢保持障害を有する有疾患者等を被験者とした場合であっても、被験者の体重を全て介護者が支えるということなしに、被験者を測定位置に着かせ、また、測定位置から移動することができる。これにより、より容易に長座位体前屈測定をおこなうことができるとともに、被験者の安全を向上し測定者（介護者）の負担を低減することが可能となり、かつ、測定時間の短縮を図ることが可能となる。
【００３８】
さらに、測定用椅子５を使用することで、車椅子で測定装置１付近まで移動してきた被験者の全体重を支えて床面上まで下ろし、この位置で長座位とする必要がなく、車椅子の座面とほぼ同程度の高さの座面５１を有する測定用椅子５に座り換えて移動するだけでよいため、車椅子使用が必要な程度の、重度の動作障害のある高齢者や姿勢保持障害を有する有疾患者等を被験者とした場合であっても、被験者を測定位置に着かせ、また、測定位置から移動することを、さらに容易におこなうことができる。これにより、測定者（介護者）の負担をより一層低減することが可能となるとともに、測定時間の短縮を図ることが可能となる。
【００３９】
本実施形態における測定用椅子５が等しい高さの座面５１を有する複数の着座椅子５２と下肢椅子５３とからなり分割状態とされることで、測定場所において、移動してきた被験者を着座椅子５２に腰掛けさせた後、被験者の下肢を伸ばして該下肢の下に下肢椅子５３を入れることで、被験者を椅子５の上で長座位とすることができる。これにより、測定者が、被験者の足を延ばした状態で椅子５の上に抱え上げたりすることなく被験者を長座位とすることができるので、長座位体前屈測定における測定者の負担をより低減することができるとともに、被験者にかかる負担も低減することが可能となる。
【００４０】
また、前記複数の測定用椅子５のうち少なくとも１つを着座椅子５２として背もたれ５４を設けることにより、被験者を着座椅子５２に座らせる際に背もたれ５４に寄りかからせて、効率的に長座位とするとともに、着座椅子５２に座らせる際に背もたれ５４を被験者が手でつかんで、自分自身の移動補助具とすることもできる。また、長座位体前屈測定時に、被験者が測定開始姿勢になった際に上体を背もたれ５４に寄りかからせて体幹の安定を図ることができる。これにより被験者の安全を向上し測定者・介護者の負担を低減することが可能となり、かつ、測定時間の短縮を図ることが可能となる。
【００４１】
なお、本実施形態においては、測定用椅子５を支持レール４１の両側に配置するとともに、測定腕部２を支持レール４１の両側に倒せる構成とすることで、支持レール４１の両側でそれぞれ交互に長座位体前屈測定をおこなうことが可能となる。
この場合、図１に示す位置に配置された測定用椅子５に座った被験者に長座位体前屈測定をおこなう際には、ストッパ３３ａをストッパ穴２３ａに挿入することにより測定腕部２を水平位置に固定し、図１に示す位置と逆側に配置された測定用椅子５に座った被験者に長座位体前屈測定をおこなう際には、ストッパ３３ａをストッパ穴２３ｃに挿入することにより測定腕部２を水平位置に固定することができる。
【００４２】
これにより、動作が健常者より遅いあるいは動作障害があるため測定位置に着くまでに時間のかかる被験者であっても、支持レール４１の一方側で測定をおこなっているときに支持レール４１の他方側に他の被験者を測定位置に着けることで、一人ずつ測定をおこなう場合に比べて、格段に測定時間を短くすることが可能となる。
さらに、支持レール４１の両側の被験者がそれぞれ対面する方向に座らせることで、双方の被験者を着座・移動させる際にも、より互いの影響が少なくて済み、測定者の負担を低減することが可能となる。
【００４３】
なお、測定用椅子５において、下肢や体幹の障害等で充分な測定姿勢がとれない被験者に対応して、傾斜した座面を用いることや、被験者の下肢の位置に応じて一部が欠けた座面を用いることで下肢が水平位置より下がった状態で測定をおこなうことも可能である。また、図７のように、１つの着座椅子５２に対して下肢椅子５３を複数個設け、例えば、被験者の片足ずつ別の下肢椅子５３に乗せることで、被験者の運動能力に応じて細かな対応をすることが可能となる。
【００４４】
また、これらの測定用椅子５の全部、あるいは、一部分を支持部４と一体として構成することもできる。ここで、着座椅子５１を支持部と一体とした場合には、測定開始位置に測定用椅子５をセッティングする必要がなく、測定開始までの作業時間を短縮することが可能になるとともに、長座位体前屈測定装置１を搬送する際に、部品点数が減るため、搬送作業を楽におこなうことができ、測定者の負担を低減することができる。
【００４５】
以下、本発明に係る長座位体前屈測定装置の第２実施形態を、図面に基づいて説明する。
図６は、本実施形態における長座位体前屈測定装置を示す正面図である。
【００４６】
本実施形態においては、測定支持柱３２を水平側に倒すことの可能な構成とされている点が、上記の実施形態と異なっている。これ以外の対応する構成要素には同一の符号を付してその説明を省略する。
【００４７】
本実施形態においては、測定支持柱３２を収納時に水平側に倒す構成としてある。
具体的には、図６に示すように、ヒンジ３８によって測定支持柱３２が支持レール４１に沿って倒れるように構成されるとともに、ストッパ３９により測定支持柱３２を垂直状態に固定可能となっている。この構成により、非測定時、この長座位体前屈測定装置１の運搬時や収納時にはストッパ３９を解除して測定支持柱３２を倒しておくとともに、測定時には測定支持柱３２を垂直状態としてストッパ３９によって固定して使用する。
【００４８】
このように測定支持柱３２をを折り畳むようにしたことにより、図５に示す長座位体前屈測定装置１の測定時高さｈが１ｍ程度であるのに対して、図６に示す収納時高さｈ１はその半分程度にすることができる。これにより、長座位体前屈測定装置１の全体の大きさを小さくすることができ、収納・移動等をより容易にすることができる。
【００４９】
以下、本発明に係る長座位体前屈測定装置の第３実施形態を、図面に基づいて説明する。
図９は、本実施形態における長座位体前屈測定装置を示す正面図である。
【００５０】
本実施形態においては、測定支持柱３２を水平側に倒すことの可能な構成とされている点と、測定用椅子５における着座椅子５２の代わりに、車椅子５５が採用されている点とが、上記の実施形態と異なっている。これ以外の対応する構成要素には同一の符号を付してその説明を省略する。
【００５１】
本実施形態の車椅子５５は、下肢椅子５３と同じ高さの座面５１を有するものとされる。この座面５１は、長座位体前屈の測定が可能な程度に水平状態であればよく、既存の車椅子を適用することも可能である。
このような構成において、長座位体前屈測定をおこなう際には、被験者の乗った車椅子５５を測定腕部２に対する測定位置に停止して、この位置で車椅子５５を固定する。そして、車椅子５５に座っている被験者の下肢を伸ばしてこの下肢の下側に下肢椅子５３を位置して、図９に示すように、上体を前方にいっぱいに曲げて手を伸ばし、測定腕部２を押して測定部３を支持レール４１に沿って移動し、この移動距離により、長座位体前屈として何ｃｍまで曲げられるかを測定する。このように、本実施形態では、被験者が車椅子５５に座ったままで長座位体前屈測定をおこなう。このときもまた、図７に示したように、１つの車椅子５５に対して下肢椅子５３を複数個設けることも可能であり、例えば、被験者の片足ずつ別の下肢椅子５３に乗せることで、被験者の運動能力に応じて細かな対応をすることが可能となる。
【００５２】
これにより、測定者が被験者を抱えて車椅子５５から他の場所に移動することなく測定をおこなうことができるため、車椅子の使用が必要程度の、重度の動作障害のある高齢者や姿勢保持障害を有する有疾患者等を被験者とした場合であっても、測定者・介護者の負担をより一層低減することができるとともに、被験者を車椅子５５から他の場所に乗せ変える必要がないため、測定時間の大幅な短縮を図ることが可能となる。
【００５３】
以下、本発明に係る長座位体前屈測定装置の第４実施形態を、図面に基づいて説明する。
図１０は、本実施形態における長座位体前屈測定装置を示す正面図である。
【００５４】
本実施形態においては、長座位体前屈測定装置１の測定用椅子５を使用せずに、ファンクショナルリーチ測定に使用する。
ファンクショナルリーチ(Functional reach:FR)とは、体のバランス感覚を計測するためのもので、立位の被験者に伸身状態で前傾姿勢をとらせ、どれくらい傾いたかを計測するものである。
【００５５】
ファンクショナルリーチの測定では、図１０に示すように、測定腕部２を上向きにして直立位置として、ストッパ３３ａをストッパ穴２３ｂに挿入することによりこれを固定され、測定腕部２を垂直なファンクショナルリーチ測定位置とする。
そして、腕高さ調節部３３を測定支持柱３２の上側へ移動し、測定腕部２の上端が、立位状態の被験者の肩と同程度かそれ以上の高さになるようにする。なお、被験者の身長等に対応して、測定腕部２の固定位置（角度）および腕高さ調節部３３の高さを適宜設定する。
【００５６】
次いで、被験者に両足を揃えて立位姿勢で右手を床と水平に維持してもらい、この状態で被験者の手の先端に測定腕部２が接するように測定部３を支持レール４１に対して位置設定し、これを測定開始位置とする。それ以外の点は上述の実施形態における長座位体前屈測定と同様におこなう。
その位置から、伸身のままで踵を挙げることなくできるだけ腕を床に水平のまま延ばして、測定腕部２を押してもらい、最大に腕を伸ばした状態のときにおける表示手段７の表示を測定値とする。
【００５７】
本実施形態においては、長座位体前屈測定装置１の測定腕部２を直立させてファンクショナルリーチ測定をおこなうことができる。つまり、一台の装置で二つの体力テストの項目である測定をおこなうことができる。しかも、長座位体前屈測定およびファンクショナルリーチは、高齢者の体力テストにおいて、今後、必須ともなる重要な項目であると思われるため、この二種目を一台の装置でできることは、測定に際して準備する測定者の労力を低減することができる。
【００５８】
さらに、図１１に示すように、車椅子５５に座ったままの被験者であっても、ファンクショナルリーチの測定をおこなうことができる。この場合には、測定用椅子５として、下肢椅子５３を使うことはなく、長座位体前屈測の場合と同様に、測定位置に車椅子５５を設定して固定し、この状態の車椅子５５に座った被験者が上体を前屈するように手を伸ばして測定をおこなう。
【００５９】
車椅子５５を用いたファンクショナルリーチ測定については、バランス感覚の測定には妥当性に欠ける可能性はあるが、高齢者に対応する現場では、どちらかといえば「車椅子の方も測定に参加させることにより、疎外感を抱かせず、モチベーションを高める」ことを目的としておこなわれている。
この場合、同じ、長座位体前屈測定装置１を使用しても、長座位体前屈測定の場合には測定腕部２を水平状体にし、ファンクショナルリーチ測定の場合には測定腕部を垂直にすることによって、車椅子５５に乗った被験者であっても、ファンクショナルリーチ測定をおこなっていると認識することが可能となり、そのモチベーションを高めることが可能となる。
【００６０】
【発明の効果】
本発明の長座位体前屈測定装置によれば、被験者が両足を伸ばして座り上体をいっぱいに伸ばすとともに両手で押すための測定腕部と、この測定腕部と一体として被験者が押圧した方向に移動可能な測定部と、この測定部を被験者の伸ばした両足の方向に移動可能として支持する支持部と、を有し、具体的には、支持部が水平方向に設けられる支持レールと、この支持レールの両端から下方に垂設される支持脚部とを有し、測定部として支持レールに沿って移動可能な測定基部と、この測定基部に垂設され測定腕部が固定される測定支持柱と、測定支持柱に対して測定腕部の固定位置を設定可能な腕高さ調節部と、支持レールから平面視して直交するように調節部に固定される測定腕部と、を有することにより、支持レールに沿って被験者の下肢を伸ばすように長座位で座らせ、被験者の体型に合わせて測定腕部の高さを調節して長座位体前屈測定をおこなうことができ、これにより、測定者の負担を低減し、測定時間を短縮することができるという効果を奏する。
【図面の簡単な説明】
【図１】  本発明に係る長座位体前屈測定装置の第１実施形態を示す斜視図である。
【図２】  本発明に係る長座位体前屈測定装置の第１実施形態を示す斜視図である。
【図３】  図１の支持レールおよび測定基部を示す拡大断面図である。
【図４】  本発明に係る長座位体前屈測定装置の第１実施形態を示す正面図である。
【図５】  本発明に係る長座位体前屈測定装置の第１実施形態を示す側面図である。
【図６】  本発明に係る長座位体前屈測定装置の第２実施形態を示す正面図である。
【図７】  本発明に係る長座位体前屈測定装置における測定用椅子を示す斜視図である。
【図８】  本発明に係る長座位体前屈測定装置の第１実施形態における長座位体前屈測定を示す正面図である。
【図９】  本発明に係る長座位体前屈測定装置の第３実施形態における長座位体前屈測定を示す正面図である。
【図１０】  本発明に係る長座位体前屈測定装置の第４実施形態におけるファンクショナルリーチ測定を示す正面図である。
【図１１】  本発明に係る長座位体前屈測定装置の第４実施形態におけるファンクショナルリーチ測定を示す正面図である。
【符号の説明】
１     長座位体前屈測定装置
２     測定腕部
３     測定部
４     支持部
５     測定用椅子
２１   基部
２２   支点
２３ａ，２３ｂ，２３ｃ ストッパ穴
３１   測定基部
３１ａ ストッパ
３２   測定支持柱
３２ａ 目盛り
３３   腕高さ調節部
３３ａ ストッパ
３３ｂ 固定部
３５   ローラ
３６   測定手段
３６ａ ラック
３６ｂ ピニオン
３７   表示手段
３７ａ 電源スイッチ
３７ｂ リセットスイッチ
４１   支持レール
４２   支持脚部
４３   連結部
４４   脚部
４５   キャスタ
４６   ストッパ
５１   座面
５２   着座椅子
５３   下肢椅子
５４   背もたれ
５５   車椅子
【図１】
0003662898.tif 000002
【図２】
0003662898.tif 000003
【図３】
0003662898.tif 000004
【図４】
0003662898.tif 000005
【図５】
0003662898.tif 000006
【図６】
0003662898.tif 000007
【図７】
0003662898.tif 000008
【図８】
0003662898.tif 000009
【図９】
0003662898.tif 000010
【図１０】
0003662898.tif 000011
【図１１】
0003662898.tif 000012